(57)【要約】【課題】利便性を向上できる冷蔵庫を提供する。【解決手段】電源投入時に記憶装置２６の情報に基づいてデモモードが実行された際に電源投入から所定の解除時間内に所定のユーザ操作が行われるとデモモードを解除して通常運転モードに設定変更し、解除時間が経過後はユーザ操作が行われてもデモモードの解除が行われない。【選択図】図３
2016050721.tif 000002
【特許請求の範囲】
【請求項１】
開口部を備えた冷却室と、前記開口部を開閉する扉とを備え、冷気を生成して前記冷却室内に流通させる通常運転モードと、冷気の生成を停止して動作の実演を行うデモモードとを有し、不揮発性の記憶装置に前記通常運転モードと前記デモモードとのいずれかの設定が記憶される冷蔵庫において、
電源投入時に前記記憶装置の情報に基づいて前記デモモードが実行された際に電源投入から所定の解除時間内に所定のユーザ操作が行われると前記デモモードを解除して前記通常運転モードに設定変更し、前記解除時間が経過後は前記ユーザ操作が行われても前記デモモードの解除が行われないことを特徴とする冷蔵庫。
【請求項２】
開口部を備えた冷却室と、前記開口部を開閉する扉とを備え、冷気を生成して前記冷却室内に流通させる通常運転モードと、冷気の生成を停止して動作の実演を行うデモモードとを有し、不揮発性の記憶装置に前記通常運転モードと前記デモモードとのいずれかの設定が記憶される冷蔵庫において、
電源投入時に前記記憶装置の情報に基づいて前記デモモードが実行された際に電源投入から所定の報知時間内に所定のユーザ操作が行われると前記デモモードに設定されていることを報知することを特徴とする冷蔵庫。
【請求項３】
前記デモモードの設定報知から所定時間内に前記ユーザ操作とは異なる所定の解除操作が行われると前記デモモードを解除して前記通常運転モードに設定を変更し、前記所定時間が経過後は前記解除操作が行われても前記デモモードの解除が行われないことを特徴とする請求項２に記載の冷蔵庫。
【請求項４】
前記解除操作が冷蔵庫への通電の断電であることを特徴とする請求項３に記載の冷蔵庫。
【請求項５】
前記ユーザ操作が前記扉の開成であることを特徴とする請求項１〜請求項４のいずれかに記載の冷蔵庫。
【発明の詳細な説明】
【技術分野】
【０００１】
本発明は貯蔵物を冷蔵する冷蔵庫に関し、特にデモモードを有する冷蔵庫に関する。
【背景技術】
【０００２】
一般に店頭での実演を目的として冷気を生成しないデモモードが設定された冷蔵庫が特許文献１に開示されている。特許文献１の冷蔵庫はデモモードの設定内容を記憶するメモリを備える。これにより、一度デモモードを設定すると意識的に解除しない限り、次回電源投入時に再設定しなくてもデモモードを起動させることができる。なお、デモモードの設定操作及び解除操作は冷蔵室扉の前面に設けられた操作パネルにより行われる。
【先行技術文献】
【特許文献】
【０００３】
【特許文献１】特開２００４−３３３０７９号公報
【発明の概要】
【発明が解決しようとする課題】
【０００４】
しかしながら、上記従来の冷蔵庫によると、デモモードに設定した展示品の冷蔵庫が購入された際に、販売店や設置者がデモモードの解除操作の実行を忘れる場合がある。また、電源投入された冷蔵庫がデモモードで起動されたことに使用者が気付かないと、冷蔵庫内に冷気が流通していないため貯蔵物を傷める。従って、冷蔵庫の利便性が悪い問題があった。
【０００５】
そこで、本発明は利便性を向上できる冷蔵庫を提供することを目的とする。
【課題を解決するための手段】
【０００６】
上記目的を達成するために本発明の冷蔵庫は、開口部を備えた冷却室と、前記開口部を開閉する扉とを備え、冷気を生成して前記冷却室内に流通させる通常運転モードと、冷気の生成を停止して動作の実演を行うデモモードとを有し、不揮発性の記憶装置に前記通常運転モードと前記デモモードとのいずれかの設定が記憶される冷蔵庫において、電源投入時に前記記憶装置の情報に基づいて前記デモモードが実行された際に電源投入から所定の解除時間内に所定のユーザ操作が行われると前記デモモードを解除して前記通常運転モードに設定変更し、前記解除時間が経過後は前記ユーザ操作が行われても前記デモモードの解除が行われないことを特徴としている。
【０００７】
この構成によると、冷蔵庫の設置者が電源投入後の動作確認のために解除時間内に所定のユーザ操作を行うとデモモードが解除されて通常運転モードに設定変更される。また、販売店で展示される冷蔵庫は開店前に電源投入して放置され、開店後に所定のユーザ操作が行われても通常運転モードに切り替ることなくデモモードが実行される。
【０００８】
また、本発明の冷蔵庫は、開口部を備えた冷却室と、前記開口部を開閉する扉とを備え、冷気を生成して前記冷却室内に流通させる通常運転モードと、冷気の生成を停止して動作の実演を行うデモモードとを有し、不揮発性の記憶装置に前記通常運転モードと前記デモモードとのいずれかの設定が記憶される冷蔵庫において、電源投入時に前記記憶装置の情報に基づいて前記デモモードが実行された際に電源投入から所定の報知時間内に所定のユーザ操作が行われると前記デモモードに設定されていることを報知することを特徴としている。
【０００９】
この構成によると、冷蔵庫の設置者が電源投入後の動作確認のために所定の報知時間内に所定のユーザ操作を行うと、デモモードに設定されていることが報知される。また、販売店で展示される冷蔵庫は開店前に電源投入して放置され、開店後に所定のユーザ操作が行われても報知されることなくデモモードが実行される。
【００１０】
また、本発明の冷蔵庫は、前記デモモードの設定報知から所定時間内に前記ユーザ操作とは異なる所定の解除操作が行われると前記デモモードを解除して前記通常運転モードに設定を変更し、前記所定時間が経過後は前記解除操作が行われても前記デモモードの解除が行われないことを特徴としている。
【００１１】
この構成によると、冷蔵庫の設置者がデモモードの報知を聞いてデモモードの設定に気付くと、所定の解除時間内にユーザ操作とは異なると所定の解除操作を行う。該解除操作が解除時間内であるとデモモードを解除して通常運転モードに設定が変更される。また、販売店で展示される冷蔵庫は開店前にデモモードの実行が報知された場合であっても所定の解除時間内に所定の解除操作を行わなければ、通常運転モードに設定変更されることなくデモモードが実行される。
【００１２】
また、本発明の冷蔵庫は、上記構成において、前記解除操作が冷蔵庫への通電の断電であることを特徴としている。
【００１３】
また、本発明の冷蔵庫は、上記構成において、前記ユーザ操作が前記扉の開成であることを特徴としている。
【発明の効果】
【００１４】
本発明によると、設置者が電源投入後の動作確認のために解除時間内に所定のユーザ操作が行うと、デモモードが解除されて通常運転モードに設定変更される。このため、設置者が電源投入後の動作確認のために所定のユーザ操作を行うとデモモードを解除して通常運転モードが実行される。これにより、デモモード下での貯蔵物の貯蔵を防止することができる。従って、冷蔵庫の利便性を向上することができる。
【００１５】
また本発明によると、電源投入から所定時間内に所定のユーザ操作が行われた場合にデモモードの設定を報知する。このため、販売店や冷蔵庫の設置者がデモモードの解除設定を忘れ、設置者が電源投入後の動作確認のために所定のユーザ操作を行うと、報知によりデモモードが設定されていることを認識する。これにより、デモモード下での貯蔵物の貯蔵を防止することができる。従って、冷蔵庫の利便性を向上することができる。
【図面の簡単な説明】
【００１６】
【図１】本発明の第１実施形態の冷蔵庫を示す側面図。
【図２】本発明の第１実施形態に係る冷蔵庫の構成を示すブロック図。
【図３】本発明の第１実施形態に係る冷蔵庫の動作制御を示すフローチャート。
【図４】本発明の第２実施形態に係る冷蔵庫の動作制御を示すフローチャート。
【図５】本発明の第３実施形態に係る冷蔵庫の動作制御を示すフローチャート。
【図６】本発明の第４実施形態に係る冷蔵庫の動作制御を示すフローチャート。
【図７】本発明の第４実施形態に係る冷蔵庫の電源回路を示す説明図。
【発明を実施するための形態】
【００１７】
以下に本発明の実施形態を図面を参照して説明する。図１は第１実施形態に係る冷蔵庫１の側面図である。冷蔵庫１は商用電源に接続して電力供給され、断熱材を充填した断熱箱体３を有する本体部２を備える。本体部２の上部には冷蔵室４が設けられ、冷蔵室４の下方に冷凍室５が設けられる。冷蔵室４及び冷凍室５の前面は冷蔵室扉４ａ、冷凍室扉５ａによりそれぞれ開閉される。
【００１８】
冷蔵室扉４ａの前面には操作パネル４０が配される。操作パネル４０は表示パネル（不図示）、複数のアイコン（不図示）及び複数の操作キー（不図示）を有する。操作キーとして例えば、温度プラスボタン、温度マイナスボタン及び急速冷却ボタン等が設けられている。これにより、冷蔵室４の設定温度を変更することができる。
【００１９】
冷蔵室４内には冷蔵室温度センサ２４ａ、冷蔵室開閉センサ２５（図２参照）及び庫内灯２３（図２参照）が設けられる。冷蔵室温度センサ２４ａは冷蔵室４内の温度を検知する。冷蔵室開閉センサ２５は冷蔵室扉４ａの開閉状態を検知する。庫内灯２３はＬＥＤ光源を有し、冷蔵室開閉センサ２５が冷蔵室扉４ａの開成を検知すると点灯する。また、庫内灯２３は冷蔵室開閉センサ２５が冷蔵室扉４ａの閉成を検知すると消灯する。また、冷蔵室４内にはブザー２７（図２参照）が設けられ、ブザー２７は所定時間以上冷蔵室扉４ａが開いた状態が続くと鳴動して使用者に報知する。また、冷凍室５内には冷凍室温度センサ２４ｂ（図２参照）が設けられ、冷凍室温度センサ２４ｂは冷凍室５内の温度を検知する。
【００２０】
本体部２の後方下部には断熱箱体３の下方に配される機械室６が設けられる。機械室６には冷凍サイクルを運転する圧縮機３１が配置される。
【００２１】
冷凍室５の背後には冷気が流通する冷気通路７が設けられる。冷気通路７は冷凍室５内に臨む吐出口７ａ及び戻り口７ｂが開口する。冷気通路７には冷凍サイクルの低温部となる冷却器３５が配される。
【００２２】
冷却器３５の上方には送風ファン１０が配される。送風ファン１０の駆動によって冷気通路７、８に冷気が流通する。冷却器３５の上部近傍には除霜温度センサ２２が配され、下方には除霜ヒータ３６及びドレンパン（不図示）が配される。
【００２３】
除霜温度センサ２２は冷却器３５に対して所定の隙間を有して配され、冷却器３５の温度を検知して除霜運転の停止時期を判別する。
【００２４】
除霜ヒータ３６は冷却器３５の除霜運転を行う。除霜運転が行われるとドレン水がドレンパンに回収され、パイプ３３ａを介して蒸発皿３２に導かれる。蒸発皿３２に貯水されたドレン水は圧縮機３１の熱により蒸発する。
【００２５】
冷蔵室４の背後には冷気通路７に連通する冷気通路８が設けられる。冷気通路８には冷蔵室４内に臨む吐出口８ａが開口する。また、冷蔵室４には戻り口９ａが開口し、戻り口９ａと冷気通路７の冷却器３５の上流側とを連通させる戻り通路（不図示）が設けられる。
【００２６】
図２は冷蔵庫１の構成を示すブロック図である。制御部２０には圧縮機３１、送風ファン１０、除霜ヒータ３６、表示パネル４０、除霜温度センサ２２、庫内灯２３、冷蔵室温度センサ２４ａ、冷凍室温度センサ２４ｂ、冷蔵室開閉センサ２５、記憶部２６、ブザー２７が接続される。
【００２７】
制御部２０は記憶部２６にあらかじめ格納されている動作プログラムを読み出して実行する。これにより、圧縮機３１、送風ファン１０、庫内灯２３、ブザー２７、除霜ヒータ３６の駆動・停止を制御することができる。
【００２８】
記憶部２６には冷蔵庫１の通常運転モードの運転プログラム、デモモードの運転プログラム、および冷蔵庫１の電源が供給された時に実行される起動プログラムが記憶されている。また、記憶部２６には冷蔵庫１が通常運転モードとデモモードとのいずれかに設定されているかの情報がフラッシュＥＥＰＲＯＭなどの不揮発性の記憶装置に記憶されている。
【００２９】
通常運転モードは冷気を生成して冷却室（冷蔵室４及び冷凍室５）内に流通させるモードである。具体的には、圧縮機３１及び送風ファン１０の駆動によって冷気通路７を流通する空気と冷却器３５とが熱交換して生成された冷気が吐出口７ａから冷凍室５に吐出される。吐出口７ａから吐出された冷気は冷凍室５内を流通し、戻り口７ｂを介して冷却器３５に戻る。これにより、冷凍室５内の冷却が行われる。
【００３０】
また、冷気通路７から冷気通路８に冷気が流入し、吐出口８ａから冷蔵室４に吐出される。吐出口８ａから吐出された冷気は冷蔵室４内を流通し、戻り口９ａを介して戻り通路９を流通して冷却器３５に戻る。これにより、冷蔵室４内の冷却が行われる。また、通常運転モードでは所定の周期（例えば圧縮機３１の運転時間を積算した値が１０時間となったとき）で除霜ヒータ３６が駆動され、冷却器３５の除霜運転を行う。
【００３１】
デモモードは店頭での動作の実演を行うモードである。具体的には圧縮機３１の駆動を停止して冷気の生成及び流通が行われない。また、除霜ヒータ３６や送風機１０も駆動しない。庫内灯２３は店頭において購買者等に冷蔵室４内の動作を確認し易くするために冷蔵室扉４ａが開くと点灯する。また、表示パネル４０やブザー２７など購買者の感覚に影響を与えるものも通常運転モードと同様の動作が行われる。なお、庫内灯２３、表示パネル４０やブザー２７等は、通常運転モードと同様の動作に限らず、デモモード特有の動作を実行させてもよい。
【００３２】
また、記憶部２６には通常運転モードからデモモードに移行させる所定の設定操作が記憶されている。デモモードへの設定操作は使用者が誤ってデモモードに設定しないように通常の操作とは異なる複雑な操作が設定される。
【００３３】
例えば、操作パネル４０上の温度プラスボタン、温度マイナスボタン及び急速冷却ボタンを同時に長押しする操作や所定の時間内に複数のボタンを順番に押す操作が設定操作に割り当てられる。また、冷蔵室４内の通常使用者が触れない後部等にデモモードの設定操作を行うスイッチを設けてもよい。
【００３４】
また、本実施形態では冷蔵庫１の電源投入から所定の解除時間（例えば、２分）内に冷蔵室扉４ａが開かれると、デモモードを解除して通常運転モードに移行するようになっている。
【００３５】
これにより、デモモードに設定されたままの冷蔵庫１が購入されて使用者宅等に設置された場合であっても、冷蔵庫１の設置者が電源投入後の動作確認のために解除時間内に冷蔵室扉４ａを開くとデモモードが解除される。
【００３６】
一般に販売店で展示される冷蔵庫１は開店前に電源投入して放置される。このため、開店後に冷蔵室扉４ａが開かれても解除時間が経過しており、通常モードに切り替ることなくデモモードが実行される。
【００３７】
図３は第１実施形態に係る冷蔵庫１の動作制御を示すフローチャートである。商用電源から電力供給が開始されると記憶部２６に記憶された起動プログラムが実行されて以下の動作が行われる。ステップ♯１１では電源投入時に不揮発性の記憶装置（記憶部２６）に記憶されているフラグＦの値を読み出し、フラグＦに１が記憶されているか否かによってデモモードを立ち上げるか否かが判断される。フラグＦに１が記憶されている場合はステップ♯１２に移行し、フラグＦに１が記憶されてない場合はステップ♯１５に移行する。即ち、フラグＦが１のときにデモモードが実行され、フラグＦが０のときに通常運転モードが実行されるとともに起動プログラムを終了する。
【００３８】
ステップ♯１２ではデモモードを開始するとともに、所定の解除時間（本実施形態では２分間）を計測するタイマーがスタートする。
【００３９】
ステップ♯１３では所定の解除時間が経過したか否かが判断される。解除時間を経過している場合は起動プログラムを終了し、デモモードの実行を継続する。一方、解除時間を経過していない場合はステップ♯１４に移行する。
【００４０】
ステップ♯１４では所定のユーザ操作が為されたかを判断する。本実施形態では所定のユーザ操作として冷蔵室扉４ａの開成が実行されたか否かが冷蔵室開閉センサ２５によって判断される。冷蔵室扉４ａの開成が感知されない場合はステップ♯１３に移行し、ステップ♯１３と♯１４が繰り返し行われる。冷蔵室扉４ａの開成が感知された場合はステップ♯１５に移行する。
【００４１】
ステップ♯１５ではデモモードの実行を解除して通常運転モードの実行を開始し、その後、起動プログラムの実行を終了する。通常運転モードが実行されると、圧縮機２１が駆動して冷気が生成され、冷蔵室４及び冷凍室５内の冷却が行われる。なお、通常運転モード中に所定の設定操作が行われた場合、通常運転モードの実行が解除され、デモモードの実行が開始される。
【００４２】
デモモードの実行開始後、不揮発性の記憶装置（記憶部２６）にフラグＦに１が記憶されてデモモードの設定が記憶される。これにより、次回電源投入時に記憶装置の情報に基づいてデモモードが立ち上がる。同様に通常運転モードの実行開始後、不揮発性の記憶装置（記憶部２６）にフラグＦに０が記憶されて通常運転モードの設定が記憶される。これにより、次回電源投入時に通常運転モードが立ち上がる。
【００４３】
本実施形態によると、ステップ♯１３で解除時間が経過したか否かが判断され、解除時間内にステップ♯１４において所定のユーザ操作が行われた場合、ステップ♯１５でデモモードが解除されて通常運転モードに設定変更される。このため、設置者が電源投入後の動作確認のために所定のユーザ操作を行うとデモモードを解除して通常運転モードが実行される。これにより、デモモード下での貯蔵物の貯蔵を防止することができる。また、店頭では通常電源投入後に放置されるためデモモードの解除が防止される。従って、冷蔵庫１の利便性を向上することができる。
【００４４】
また、冷蔵庫１の設置者は通常電源投入後に冷蔵室扉４ａを開いて動作確認を行う。このため、解除時間内に冷蔵室扉４ａが開かれるとデモモードが解除されるので、設置者が解除操作の実行を忘れていても確実にデモモードを解除することができる。
【００４５】
＜第２実施形態＞
図４は第２実施形態に係る冷蔵庫１の動作制御を示すフローチャートである。なお、第１実施形態と同一部分は同一符号を付して説明を省略する。第１実施形態に対して第２実施形態は冷蔵庫１の電源投入から所定の報知時間内に冷蔵室扉４ａの開成を感知した場合、使用者にデモモードの実行を報知する。
【００４６】
具体的には、ステップ♯１２ではデモモードを開始するとともに、所定の報知時間（本実施形態では２分間）を計測するタイマーがスタートする。ステップ♯１３では所定の報知時間が経過したか否かが判断される。報知時間を経過している場合は起動プログラムを終了し、デモモードの実行を継続する。一方、報知時間を経過していない場合はステップ♯１４に移行する。
【００４７】
ステップ♯１４では所定のユーザ操作が為されたかを判断する。本実施形態では所定のユーザ操作として冷蔵室扉４ａの開成が実行されたか否かが冷蔵室開閉センサ２５によって判断される。冷蔵室扉４ａの開成が感知されない場合はステップ♯１３に移行し、ステップ♯１３と♯１４が繰り返し行われる。冷蔵室扉４ａの開成が感知された場合はステップ♯１５に移行する。
【００４８】
ステップ♯１５では庫内灯２３が点滅し、ブザー２７が鳴る。これにより、使用者にデモモードの設定を報知する。報知する時間は所定の時間としてもよく、冷蔵室扉４ａが閉成されるまでとしてもよい。その後、起動プログラムを終了しデモモードの実行が継続される。
【００４９】
本実施形態によると、ステップ♯１３で報知時間が経過したか否かが判断され、報知時間内にステップ♯１４において所定のユーザ操作が行われた場合、ステップ♯１５でデモモードの設定が報知される。このため、販売店や冷蔵庫の設置者がデモモードの解除設定を忘れ、設置者が電源投入後の動作確認のために所定のユーザ操作を行うと、報知によりデモモードが設定されていることを認識する。これにより、デモモード下での貯蔵物の貯蔵を防止することができる。従って、冷蔵庫１の利便性を向上することができる。
【００５０】
＜第３実施形態＞
図５は第３実施形態に係る冷蔵庫１の動作制御を示すフローチャートである。なお、第１、第２実施形態と同一部分は同一符号を付して説明を省略する。第２実施形態に対して第３実施形態は電源投入から報知時間内に冷蔵室扉４ａの開成を感知した場合、使用者にデモモードの設定が報知され、報知後の所定時間内に冷蔵庫１の電源が停止された場合、フラグＦに０が記憶される。これにより、次回電源投入時に通常運転モードが立ち上がる。
【００５１】
具体的には、ステップ♯１５でデモモードの実行が報知された後、ステップ♯１６では報知後に所定時間（本実施形態では２分）が経過したか否かが判断される。所定時間を経過している場合は起動プログラムを終了し、デモモードの実行を継続する。一方、所定時間を経過していない場合はステップ♯１７に移行する。ステップ♯１７で冷蔵庫１の電源が停止（冷蔵庫１への通電の断電）されたか否かが判断される。電源が停止された場合はステップ♯１８に移行する。電源が停止されない場合はステップ♯１６に移行してステップ♯１６、♯１７が繰り返し行われる。
【００５２】
ステップ♯１８ではフラグＦに０が記憶される。これにより、デモモードがオフであることが不揮発性の記憶装置（記憶部２６）に記憶され、次回電源投入時に通常運転モードが立ち上がる。
【００５３】
本実施形態によると、ステップ♯１５の報知によって設置者がデモモードであることに気付いて報知後の所定時間（２分）内に電源を停止すると、次回電源投入時にデモモードが解除される。
【００５４】
第１〜第３実施形態において、冷蔵室扉４ａを開く操作を行うと電源投入後の時間に応じてデモモードの解除や報知が行われる。これに対し、冷蔵庫１の庫外から行われる他のユーザ操作により電源投入後の時間に応じてデモモードの解除や報知を行ってもよい。このユーザ操作は設置者が動作確認時に通常行う操作に割り当てることが望ましく、例えば、冷凍室扉５ａの開成や操作パネル４０の急速冷却ボタンの押下等を割り当てることができる。また、第３実施形態において、報知後の所定時間内に受け付ける所定の解除操作は、冷蔵庫１の電源の停止だけでなく、他のユーザ操作、たとえば操作パネル４０の所定の操作とすることもできる。
【００５５】
＜第４実施形態＞
図６は第４実施形態に係る冷蔵庫１の動作制御を示すフローチャートであり、図７は冷蔵庫１の電源回路を示す説明図である。なお、第１実施形態と同一部分は同一符号を付して説明を省略する。第１実施形態に対して第４実施形態はデモモードがオンであることが不揮発性の記憶装置（記憶部２６）に記憶された状態で電源が停止され、次回電源投入が前回の電源停止から所定時間（例えば、２４時間）以上経過している場合、電源投入後自動的にデモモードから通常運転モードに移行する。また、電源停止から電源投入までの時間の計測は冷蔵庫１の電源回路に接続されたコンデンサー５５の電荷量に基づいて行う。
【００５６】
図７に示すように、コンセント５１から冷蔵庫１の第１電源回路５２に供給された１００Ｖの電圧から１２Ｖを生成して第２電源回路５３に供給する。また、第２電源回路５３はマイクロコンピューター５４に５Ｖの電圧を供給する。
【００５７】
マイクロコンピューター５４は第１スイッチＳＷ１をオンにするとともに第２スイッチＳＷ２をオフにしてコンデンサー５５を充電する。冷蔵庫１の電源停止後、マイクロコンピューター５４は第１スイッチＳＷ１及び第２スイッチＳＷ２をオフにする。電源投入時にマイクロコンピューター５４は第１スイッチＳＷ１をオフにし、第２スイッチＳＷ２をオンにしてコンデンサー５５の電圧を測定する。
【００５８】
コンデンサー５５は冷蔵庫１の電源停止中に蓄積された電荷を所定の速度で放電するようにする。このため、冷蔵庫１の電源投入後に測定されたコンデンサー５５の電圧が所定値より低い場合、電源停止から電源投入まで所定時間以上経過していると判断することができる。
【００５９】
具体的には、ステップ♯２１で電源投入時に不揮発性の記憶装置（記憶部２６）に記憶されているフラグＦの値を読み出す。フラグＦに１が記憶されていない場合はステップ♯２４に移行して通常運転モードが実行される。また、フラグＦに１が記憶されている場合はステップ♯２２に移行する。
【００６０】
ステップ♯２２では第１スイッチＳＷ１をオフに維持した状態で、第２スイッチＳＷ２をオンにしてコンデンサー５５の電圧Ｖｃを測定する。測定された電荷量が０．３Ｖより小さい場合、ステップ♯２４に移行して通常運転モードが実行される。また、電荷量が０．３Ｖ以上の場合、デモモードが開始される。デモモード開始後は第１〜第３実施形態のステップ♯１２〜♯１９を適用することができる。
【００６１】
また、デモモードの実行中に第１スイッチＳＷ１をオンにするとともに第２スイッチＳＷ２をオフにしてコンデンサー５５を充電する。このとき、マイクロコンピューター５４に供給される電圧を監視する。また、冷蔵庫１の電源が停止されてマイクロコンピューター５４の供給される電圧が３Ｖ以下になると、冷蔵庫１の電源が停止されたと判断してマイクロコンピューター５４は第１スイッチＳＷ１及び第２スイッチＳＷ２をオフにする。
【００６２】
本実施形態によると、店頭展示状態では電源停止後、定期的に（例えば年中無休であれば毎日）電源が投入される。このため、店頭では通常、電源投入後に自動的にデモモードが解除されることない。一方、ユーザ宅へ配送、設置される場合、電源停止の停止時間が店頭展示と比較して長い。このため、電源停止後に所定の時間が経過したことが検出された場合は自動的にデモモードを解除して通常運転モードを実行する。これにより、ユーザ宅で冷蔵庫１を設置後に電源投入とした場合に確実にデモモードの実行を解除することができ、冷蔵庫１の利便性をより向上することができる。
【００６３】
なお、電源停止から電源投入までの時間の計測は、コンデンサー５５の電荷量に基づいて行うだけでなく、たとえばマイクロコンピューター５４の時計機能など冷蔵庫１が電源停止しても時間を計測できる手段を使用することができる。
【産業上の利用可能性】
【００６４】
本発明はデモモードを備えた冷蔵庫に広く利用可能である。
【符号の説明】
【００６５】
１      冷蔵庫
２      本体部
３      断熱箱体
４      冷蔵室
４ａ    冷蔵室扉
５      冷凍室
５ａ    冷凍室扉
６      機械室
７、８  冷気通路
１０    送風ファン
２０    制御部
２２    除霜温度センサ
２３    庫内灯
２４ａ  冷蔵室温度センサ
２４ｂ  冷凍室温度センサ
２５    冷蔵室開閉センサ
２６    記憶部
２７    ブザー
３１    圧縮機
３２    蒸発皿
３５    冷却器
３６    除霜ヒータ
４０    操作パネル
５１    コンセント
５２    第１電源回路
５３    第２電源回路
５４    マイクロコンピューター
５５    コンデンサー
【図１】
2016050721.tif 000003
【図２】
2016050721.tif 000004
【図３】
2016050721.tif 000005
【図４】
2016050721.tif 000006
【図５】
2016050721.tif 000007
【図６】
2016050721.tif 000008
【図７】
2016050721.tif 000009